(57)【要約】  ディスク装置１のトレイ２０に、電子部品２１を略被覆する基板カバー部２６１およびアース延出部２６７を有するアース部材２６と、アース延出部２６７よりもトレイ排出方向側に配置された前側突出部２０５と、を設けた。ケース体１０に、トレイ収納状態のときにアース延出部２６７に接触するケース側アース接触部１１７を設けた。このため、トレイ収納状態のときにアース延出部２６７とケース側アース接触部１１７とを接触させて静電気をアース部材２６を介してケース体１０に流すことで、静電気が電子部品２１に流れて電子部品２１が破損することを防止できる。アース延出部２６７がトレイ排出方向側に変形しても、アース延出部２６７と前側突出部２０５とを接触させることでアース延出部２６７の過剰な変形を規制することができ、アース延出部２６７の破損を心配することなくディスク装置１を容易に取り扱うことができる。
2009130768.tif 000002
【特許請求の範囲】
【請求項１】
ディスク状記録媒体が載置されるトレイと、
一面が開口された略箱状に形成され、前記開口から前記トレイを挿排自在に収納可能なケース体と、を具備したディスク装置であって、
前記トレイには、少なくとも一部が前記トレイの排出方向側の端部に配置された電子部品と、導電性の材料で形成され、前記電子部品の近傍において前記電子部品に接触しない状態で設けられたアース部材と、が設けられ、
前記アース部材は、前記電子部品の近傍に配置された電子部品近接部と、この電子部品近接部の一縁から前記排出方向と略直交する方向に延びるアース延出部と、を備え、
前記トレイには、前記アース延出部よりも前記排出方向側に配置され、前記アース延出部の前記排出方向側への変形を規制する変形規制部が設けられ、
前記ケース体には、導電性の材料で形成され、前記トレイが前記ケース体に収納された際に前記アース延出部に接触するケース側アース接触部が設けられている
ことを特徴とするディスク装置。
【請求項２】
請求項１に記載のディスク装置において、
前記ケース側アース接触部は、前記ケース体の開口面よりも前記トレイの挿入方向側に設けられている
ことを特徴とするディスク装置。
【請求項３】
請求項２に記載のディスク装置において、
前記ケース体は、導電性の材料で前記略箱状に形成され、
前記ケース側アース接触部は、前記ケース体の開口端の一部が前記排出方向と交差する方向に切り起こされることで、前記開口面よりも前記挿入方向側に設けられている
ことを特徴とするディスク装置。
【請求項４】
請求項１ないし請求項３のいずれかに記載のディスク装置において、
前記トレイには、前記ディスク状記録媒体を処理するディスク処理部と、導電性の材料で形成され、前記トレイとにより前記ディスク処理部を挟み込む処理部カバーと、が設けられ、
前記アース部材の電子部品近接部には、前記トレイに固定されるアース固定部と、前記処理部カバーに接触するアース側カバー接触部と、が設けられ、
前記アース側カバー接触部は、前記アース固定部に対して前記アース延出部と反対側に設けられている
ことを特徴とするディスク装置。
【発明の詳細な説明】
【技術分野】
【０００１】
本発明は、ディスク装置に関する。
【背景技術】
【０００２】
従来、例えば携帯型のパーソナルコンピュータ（以下、ノートパソコンと称す）に適用されるディスク装置として、ケース体内に収納可能に設けられるトレイに記録媒体を載置し、記録媒体の挿排を実施する構成が知られている。（例えば、特許文献１参照）。【０００３】
この特許文献１に記載のものは、ディスクトレイの前端面にアースプレートが取り付けられている。そして、アースプレートの開放端部をシャーシケースの開口部に当接させることで、放電路を形成している。これにより、操作ボタンに指先が接触したときの人体の静電気を放電路へ流し、電気部品などの破損を防止する構成が採られている。【０００４】
【特許文献１】特開２００４−１５２４３３号公報
【発明の開示】
【発明が解決しようとする課題】
【０００５】
しかしながら、上述したような特許文献１のような構成では、ベゼルをトレイに取り付けるときに開放端部に手が触れてしまい、開放端部がトレイの排出方向側に変形して破損してしまうおそれがある。このため、取り扱いに注意が必要となり、容易に取り扱うことができないという問題点が一例として挙げられる。【０００６】
本発明は、電子部品の破損を防止可能かつ容易に取り扱うことが可能なディスク装置を提供することを１つの目的とする。
【課題を解決するための手段】
【０００７】
本発明のディスク装置は、ディスク状記録媒体が載置されるトレイと、一面が開口された略箱状に形成され、前記開口から前記トレイを挿排自在に収納可能なケース体と、を具備したディスク装置であって、前記トレイには、少なくとも一部が前記トレイの排出方向側の端部に配置された電子部品と、導電性の材料で形成され、前記電子部品の近傍において前記電子部品に接触しない状態で設けられたアース部材と、が設けられ、前記アース部材は、前記電子部品の近傍に配置された電子部品近接部と、この電子部品近接部の一縁から前記排出方向と略直交する方向に延びるアース延出部と、を備え、前記トレイには、前記アース延出部よりも前記排出方向側に配置され、前記アース延出部の前記排出方向側への変形を規制する変形規制部が設けられ、前記ケース体には、導電性の材料で形成され、前記トレイが前記ケース体に収納された際に前記アース延出部に接触するケース側アース接触部が設けられていることを特徴とする。
【図面の簡単な説明】
【０００８】
【図１】本発明の一実施形態に係るディスク装置のトレイ排出状態におけるトレイの構成およびケース体の内部の構成の概略を示す平面図である。
【図２】前記一実施形態におけるトレイ排出状態におけるディスク装置を示す正面図である。
【図３】前記一実施形態におけるトレイ排出状態におけるディスク装置を示す下面側からの部分断面図である。
【図４】前記一実施形態におけるトレイ収納状態におけるディスク装置を示す下面側からの部分断面図である。
【図５】前記一実施形態におけるアース延出部がトレイ排出方向側に押されたときの状態を示す下面側からの部分断面図である。
【符号の説明】
【０００９】
１…ディスク装置
１０…ケース体
２０…トレイ
２１…電子部品
２６…アース部材
３０…ディスク処理部
３１…処理部カバー
１１７…ケース側アース接触部
２０５…変形規制部としての前側突出部
２６１…電子部品近接部としての基板カバー部
２６４…アース固定部としての右固定部
２６６…アース側カバー接触部
２６７…アース延出部
【発明を実施するための最良の形態】
【００１０】
以下、本発明に係る一実施形態を図面に基づいて説明する。
図１は、ディスク装置のトレイ排出状態におけるトレイの構成およびケース体の内部の構成の概略を示す平面図である。図２は、トレイ排出状態におけるディスク装置を示す正面図である。図３は、トレイ排出状態におけるディスク装置を示す下面側からの部分断面図である。図４は、トレイ収納状態におけるディスク装置を示す下面側からの部分断面図である。【００１１】
［ディスク装置の構成］
〔全体の構成〕
まず、ディスク装置１の全体の構成について説明する。
図１に示すように、ディスク装置１は、例えば携帯型のパーソナルコンピュータ（以下、ノートパソコンと称す）などの電気機器に装着されるいわゆるスリムディスク装置（或いはスリムディスクドライブ）と称されるものである。このディスク装置１は、着脱可能に装着されるディスク状記録媒体、例えばＣＤ（Compact Disc）やＤＶＤ（Digital Versatile Disc）あるいはＢＤ（Blu-ray Disc：ブルーレイディスク）またはＨＤ−ＤＶＤ（High Definition DVD）などを処理する。
そして、ディスク装置１は、ケース体１０を備えている。【００１２】
ケース体１０は、底部側の下ケース１１と天面側の上ケース１２（図２参照）とにより構成され、内部に空間を有する略四角箱状に形成されている。
このケース体１０は、下ケース１１および上ケース１２の前面側の端部で構成された開口部１０１を有している。そして、ケース体１０には、開口部１０１を介してトレイ２０が進退自在に設けられている。また、ケース体１０の内部には、トレイ２０の進退方向に沿って配設されるレール部１３と、トレイ２０の進退移動を規制する図示しないロック機構とが設けられている。【００１３】
トレイ２０は、例えば合成樹脂などにて略板状に形成され、ケース体１０の開口部１０１から進出自在に設けられている。ここで、以下において、トレイ２０がケース体１０に収容された状態をトレイ収容状態と、ケース体１０から排出された状態をトレイ排出状態と適宜称して説明する。
このトレイ２０の上面側には、ディスク状記録媒体としての図示しない光ディスクの径寸法より若干大きく形成され、光ディスクが載置される円弧状凹部２０１が設けられている。さらに、トレイ２０には、光ディスクを保持するターンテーブル３０１と、光ディスクを処理する情報処理部３０２とを有するディスク処理部３０が設けられている。
また、トレイ２０の下面側には、トレイ２０とにてディスク処理部３０を挟み込む処理部カバー３１が設けられている。
さらに、トレイ２０の前面部２０２には、トレイ収納状態のときにケース体１０の開口部１０１を閉塞するベゼル３２が取り付けられている。【００１４】
〔要部の構成〕
次に、ディスク装置１の要部の構成について説明する。
図１および図２に示すように、下ケース１１は、導電性の材料である金属などで形成されている。この下ケース１１は、前後に長い略長方形板状の底面部１１１を有している。この底面部１１１の左側縁、後側縁、右側縁には、上方に延びる左面部１１２、後面部１１３、右面部１１４がそれぞれ設けられている。また、右面部１１４の上縁には、右側に延びるウイング部１１５が設けられている。また、ウイング部１１５の右側縁には、上方に延びるウイング側面部１１６が設けられている。そして、上ケース１２は、左面部１１２とウイング側面部１１６とを架け渡す状態で設けられる。
また、図２および図３に示すように、右面部１１４の前面側かつ上側の部分には、左側に延びる舌片状のケース側アース接触部１１７が設けられている。このケース側アース接触部１１７は、右面部１１４の一部を左側に切り起こすことで、開口部１０１の開口面（以下、ケース体開口面と称す）よりも後面部１１３側（トレイ２０の挿入方向側）に設けられている。【００１５】
処理部カバー３１は、導電性の材料である金属などで板状に形成されている。この処理部カバー３１の前縁における左側には、上方に延びる舌片状のカバー側アース接触部３１１が設けられている。【００１６】
トレイ２０の前面部２０２は、略長方形状の前面基部２０３と、この前面基部２０３の右側縁から略長方形状に突出する右側突出部２０４と、を備えている。
右側突出部２０４の前面基部２０３側かつ前面側の端部には、下方に延びる舌片状の変形規制部としての前側突出部２０５が設けられている。この前側突出部２０５は、ケース側アース接触部１１７の前面側かつ上側に設けられている。また、前側突出部２０５の後面側には、前側突出部２０５と略平行な後側突出部２０６が設けられている。この後側突出部２０６は、図４に示すように、トレイ収納状態のときにケース側アース接触部１１７よりも後面側に位置するように設けられている。
前面基部２０３の右側突出部２０４側には、図２に示すように、電子部品２１が露出する状態で設けられている。つまり、電子部品２１は、トレイ２０の排出方向側（以下、トレイ排出方向と称す）の端部に配置されている。この電子部品２１は、回路基板２２と、この回路基板２２に設けられたスイッチ部２３およびＬＥＤ２４と、を備えている。スイッチ部２３は、ベゼル３２の図示しないボタン部により押圧される。このスイッチ部２３が押圧されると、図示しないトレイ排出機構の駆動によりトレイ２０が排出される。ＬＥＤ２４は、ディスク装置１の駆動状態に応じて点灯する。【００１７】
また、前面基部２０３には、導電性の材料である金属などで略板状に形成されたアース部材２６が設けられている。このアース部材２６は、電子部品２１の近傍において電子部品２１に接触しない状態で設けられている。そして、アース部材２６は、電子部品２１を略被覆する状態で（電子部品２１の近傍に）設けられた左右に長い略長方形板状の電子部品近接部としての基板カバー部２６１を有している。この基板カバー部２６１には、スイッチ部２３およびＬＥＤ２４を露出させる露出孔２６２が設けられている。
さらに、基板カバー部２６１の左側縁には、前面基部２０３に固定される左固定部２６３が設けられている。また、基板カバー部２６１の右端部の上縁および下縁には、前面基部２０３に固定されるアース固定部としての右固定部２６４がそれぞれ設けられている。【００１８】
さらに、基板カバー部２６１の左右略中央の下縁、右固定部２６４よりも左側の下縁には、連結部２６５を介してアース側カバー接触部２６６が設けられている。このアース側カバー接触部２６６は、左側に延びる舌片状に形成され、延出先端側が処理部カバー３１のカバー側アース接触部３１１と常時接触する状態で設けられている。そして、アース側カバー接触部２６６とカバー側アース接触部３１１との接触により、図３に示すトレイ排出状態および図４に示すトレイ収納状態のときに第１の放電路が形成されている。
この第１の放電路は、ベゼル３２のボタン部に利用者の指先が近づいたときに、利用者に帯電している静電気をアース部材２６を介して処理部カバー３１に流すことで、静電気が電子部品２１に流れることを防止する。これにより、トレイ排出状態およびトレイ収納状態における電子部品２１の破損が防止される。【００１９】
また、基板カバー部２６１の右側縁には、右側（トレイ排出方向と略直交する方向）に延びる舌片状のアース延出部２６７が設けられている。このアース延出部２６７は、前後に撓み可能な構成を有しており、撓むときの先端部２６８の移動軌跡上に前側突出部２０５と、ケース側アース接触部１１７と、後側突出部２０６とが位置するように設けられている。そして、アース延出部２６７は、延出方向に並ぶ２個の屈曲部分でそれぞれ後面側に屈曲され、図３に示すようにトレイ排出状態のときに、先端部２６８が後側突出部２０６と接触する状態で設けられている。つまり、前側突出部２０５は、アース延出部２６７よりも前面側（トレイ排出方向側）に設けられている。【００２０】
また、アース延出部２６７は、図４に示すトレイ収納状態のときに、ケース体１０のケース側アース接触部１１７と接触して、第２の放電路を形成する。第２の放電路が形成されるとき、先端部２６８とケース側アース接触部１１７との接触により、アース延出部２６７は、ケース排出方向側に付勢されて撓み、この撓みの反力により先端部２６８をケース側アース接触部１１７に押し付けている。このため、ディスク装置１が多少振動したとしても、先端部２６８とケース側アース接触部１１７とが離れることがなく、第２の放電路が確保される。
この第２の放電路は、ベゼル３２のボタン部に利用者の指先が近づいた場合、利用者に帯電している静電気をアース部材２６を介してケース体１０の下ケース１１に流すことで、静電気が電子部品２１に流れることを防止する。これにより、トレイ収納状態における電子部品２１の破損が防止される。【００２１】
［ディスク装置の作用］
次に、ディスク装置１の作用として、アース延出部２６７がトレイ排出方向側に押されたときの作用について説明する。
図５は、アース延出部がトレイ排出方向側に押されたときの状態を示す下面側からの部分断面図である。
例えばベゼル３２を取り付けるためにディスク装置１を保持した際に指先がアース延出部２６７に接触して、図５に示すように、アース延出部２６７がトレイ排出方向側に変形した場合、先端部２６８は、移動軌跡上にあるトレイ２０の前側突出部２０５と接触する。この先端部２６８と前側突出部２０５との接触により、アース延出部２６７の過剰な変形が規制される。【００２２】
［ディスク装置の効果］
上述したように、上記実施形態では、以下のような効果を奏することができる。【００２３】
（１）ディスク装置１のトレイ２０に、電子部品２１を略被覆する基板カバー部２６１およびこの基板カバー部２６１から右側に延びるアース延出部２６７を有するアース部材２６と、アース延出部２６７よりもトレイ排出方向側に配置された前側突出部２０５と、を設けている。さらに、ケース体１０に、トレイ収納状態のときにアース延出部２６７に接触するケース側アース接触部１１７を設けている。
このため、トレイ収納状態のときにアース延出部２６７とケース側アース接触部１１７とを接触させて、利用者に帯電している静電気をアース部材２６を介してケース体１０に流すことで、静電気が電子部品２１に流れて電子部品２１が破損することを防止できる。さらに、指先がアース延出部２６７に接触してトレイ排出方向側に変形した場合でも、アース延出部２６７と前側突出部２０５とを接触させることでアース延出部２６７の過剰な変形を規制することができる。したがって、アース延出部２６７の破損を心配することなく、ディスク装置１を容易に取り扱うことができる。【００２４】
（２）ケース側アース接触部１１７をケース体開口面よりも後面部１１３側に設けている。
ここで、ケース側アース接触部１１７をケース体開口面と同一面上、あるいは、ケース体開口面よりも外側に設けた場合、トレイ２０がケース体１０に収納されてアース延出部２６７とケース側アース接触部１１７とが接触したときに、先端部２６８がケース体開口面よりも外側に位置することになる。このため、前側突出部２０５をこの接触部分よりもさらに外側に設ける必要があり、ディスク装置１の前後方向のサイズが大きくなってしまう。
これに対して、本実施形態では、ケース側アース接触部１１７をケース体開口面よりも後面部１１３側に設けているため、前側突出部２０５をケース体開口面と略同一面上に設けることができ、ディスク装置１の前後方向のサイズの増加を抑えることができる。【００２５】
（３）ケース側アース接触部１１７を右面部１１４の一部を切り起こすことで形成している。
このため、ケース側アース接触部１１７を下ケース１１に取り付けるなどの作業をする必要がなく、ディスク装置１の製造性を向上できる。さらには、ディスク装置１の部品点数を削減できる。【００２６】
（４）アース部材２６をトレイ２０の前面基部２０３に固定するための構成として、基板カバー部２６１の右端部側かつアース延出部２６７の基端近傍に右固定部２６４を設けている。さらに、右固定部２６４の左側、つまり右固定部２６４に対してアース延出部２６７と反対側に、カバー側アース接触部３１１を介して処理部カバー３１に接触するアース側カバー接触部２６６を設けている。
ここで、アース側カバー接触部２６６を右固定部２６４に対してアース延出部２６７と同じ側に設けた場合、アース延出部２６７がトレイ排出方向側に変形したときにアース側カバー接触部２６６が処理部カバー３１から離れてしまい第１の放電路を確保できなくなるおそれがある。このため、第１の放電路を確実に確保するために、アース側カバー接触部２６６と処理部カバー３１とを固定する処理をする必要があり、製造工程が増えてしまうおそれがある。
これに対して、本実施形態では、アース側カバー接触部２６６を右固定部２６４に対してアース延出部２６７と反対側に設けているため、アース延出部２６７がトレイ排出方向側に変形したとしても、アース側カバー接触部２６６が処理部カバー３１から離れることがない。したがって、アース側カバー接触部２６６と処理部カバー３１とを固定することなく第１の放電路を確保でき、製造工程が増えることを防止できる。【００２７】
［実施形態の変形］
なお、本発明は、上述した実施形態に限定されるものではなく、本発明の目的を達成できる範囲で以下に示される変形をも含むものである。【００２８】
すなわち、ケース側アース接触部１１７をケース体開口面と同一面上あるいはケース体開口面よりも外側に設けるとともに、前側突出部２０５を上記実施形態の位置よりも外側に設けてもよい。ここで、ケース側アース接触部１１７をケース体開口面と略同一面上に設ける構成としては、右面部１１４を切り起こさずに、右面部１１４の端部をケース側アース接触部１１７として機能させる構成が例示できる。
また、下ケース１１の底面部１１１の一部を切り起こすことでケース側アース接触部１１７を設けてもよい。
さらに、ケース側アース接触部１１７と下ケース１１とを別部品として、螺合、係合、嵌合、圧着、接着などで固定する構成としてもよい。このような別部品とする構成において、ケース側アース接触部１１７を導電性を有する材料で形成し、下ケース１１１を導電性を有さない材料で形成してもよい。
そして、アース側カバー接触部２６６を右固定部２６４に対してアース延出部２６７と同じ側に設けてもよい。【００２９】
その他、本発明の実施の際の具体的な構造および手順は、本発明の目的を達成できる範囲で他の構造などに適宜変更できる。【００３０】
〔実施形態の効果〕
上述したように、上記実施形態では、ディスク装置１のトレイ２０に、電子部品２１を略被覆する基板カバー部２６１およびアース延出部２６７を有するアース部材２６と、アース延出部２６７よりもトレイ排出方向側に配置された前側突出部２０５と、を設けている。さらに、ケース体１０に、トレイ収納状態のときにアース延出部２６７に接触するケース側アース接触部１１７を設けている。
このため、トレイ収納状態のときにアース延出部２６７とケース側アース接触部１１７とを接触させて、利用者に帯電している静電気をアース部材２６を介してケース体１０に流すことで、静電気が電子部品２１に流れて電子部品２１が破損することを防止できる。さらに、アース延出部２６７がトレイ排出方向側に変形した場合でも、アース延出部２６７と前側突出部２０５とを接触させることでアース延出部２６７の過剰な変形を規制することができる。したがって、アース延出部２６７の破損を心配することなく、ディスク装置１を容易に取り扱うことができる。
【産業上の利用可能性】
【００３１】
本発明は、ディスク装置として利用できる。
【図１】
2009130768.tif 000003
【図２】
2009130768.tif 000004
【図３】
2009130768.tif 000005
【図４】
2009130768.tif 000006
【図５】
2009130768.tif 000007
【手続補正書】
【提出日】平成22年9月27日(2010.9.27)
【手続補正１】
【補正対象書類名】明細書
【補正対象項目名】全文
【補正方法】変更
【補正の内容】
【発明の詳細な説明】
【技術分野】
【０００１】
本発明は、ディスク装置に関する。
【背景技術】
【０００２】
従来、例えば携帯型のパーソナルコンピュータ（以下、ノートパソコンと称す）に適用されるディスク装置として、ケース体内に収納可能に設けられるトレイに記録媒体を載置し、記録媒体の挿排を実施する構成が知られている。（例えば、特許文献１参照）。
【０００３】
この特許文献１に記載のものは、ディスクトレイの前端面にアースプレートが取り付けられている。そして、アースプレートの開放端部をシャーシケースの開口部に当接させることで、放電路を形成している。これにより、操作ボタンに指先が接触したときの人体の静電気を放電路へ流し、電気部品などの破損を防止する構成が採られている。
【先行技術文献】
【特許文献】
【０００４】
【特許文献１】特開２００４−１５２４３３号公報
【発明の概要】
【発明が解決しようとする課題】
【０００５】
しかしながら、上述したような特許文献１のような構成では、ベゼルをトレイに取り付けるときに開放端部に手が触れてしまい、開放端部がトレイの排出方向側に変形して破損してしまうおそれがある。このため、取り扱いに注意が必要となり、容易に取り扱うことができないという問題点が一例として挙げられる。
【０００６】
本発明は、電子部品の破損を防止可能かつ容易に取り扱うことが可能なディスク装置を提供することを１つの目的とする。
【課題を解決するための手段】
【０００７】
本発明のディスク装置は、ディスク状記録媒体が載置されるトレイと、一面が開口された略箱状に形成され、前記開口から前記トレイを挿排自在に収納可能なケース体と、を具備したディスク装置であって、前記トレイには、少なくとも一部が前記トレイの排出方向側の端部に配置された電子部品と、導電性の材料で形成され、前記電子部品の近傍において前記電子部品に接触しない状態で設けられたアース部材と、が設けられ、前記アース部材は、前記電子部品の近傍に配置された電子部品近接部と、この電子部品近接部の一縁から前記排出方向と略直交する方向に延びるアース延出部と、を備え、前記トレイには、前記アース延出部よりも前記排出方向側に配置され、前記アース延出部の前記排出方向側への変形を規制する変形規制部が設けられ、前記ケース体には、導電性の材料で形成され、前記トレイが前記ケース体に収納された際に前記アース延出部に接触するケース側アース接触部が設けられていることを特徴とする。
【図面の簡単な説明】
【０００８】
【図１】本発明の一実施形態に係るディスク装置のトレイ排出状態におけるトレイの構成およびケース体の内部の構成の概略を示す平面図である。
【図２】前記一実施形態におけるトレイ排出状態におけるディスク装置を示す正面図である。
【図３】前記一実施形態におけるトレイ排出状態におけるディスク装置を示す下面側からの部分断面図である。
【図４】前記一実施形態におけるトレイ収納状態におけるディスク装置を示す下面側からの部分断面図である。
【図５】前記一実施形態におけるアース延出部がトレイ排出方向側に押されたときの状態を示す下面側からの部分断面図である。
【発明を実施するための形態】
【０００９】
以下、本発明に係る一実施形態を図面に基づいて説明する。
図１は、ディスク装置のトレイ排出状態におけるトレイの構成およびケース体の内部の構成の概略を示す平面図である。図２は、トレイ排出状態におけるディスク装置を示す正面図である。図３は、トレイ排出状態におけるディスク装置を示す下面側からの部分断面図である。図４は、トレイ収納状態におけるディスク装置を示す下面側からの部分断面図である。
【００１０】
［ディスク装置の構成］
〔全体の構成〕
まず、ディスク装置１の全体の構成について説明する。
図１に示すように、ディスク装置１は、例えば携帯型のパーソナルコンピュータ（以下、ノートパソコンと称す）などの電気機器に装着されるいわゆるスリムディスク装置（或いはスリムディスクドライブ）と称されるものである。このディスク装置１は、着脱可能に装着されるディスク状記録媒体、例えばＣＤ（Compact Disc）やＤＶＤ（Digital Versatile Disc）あるいはＢＤ（Blu-ray Disc：ブルーレイディスク）またはＨＤ−ＤＶＤ（High Definition DVD）などを処理する。
そして、ディスク装置１は、ケース体１０を備えている。
【００１１】
ケース体１０は、底部側の下ケース１１と天面側の上ケース１２（図２参照）とにより構成され、内部に空間を有する略四角箱状に形成されている。
このケース体１０は、下ケース１１および上ケース１２の前面側の端部で構成された開口部１０１を有している。そして、ケース体１０には、開口部１０１を介してトレイ２０が進退自在に設けられている。また、ケース体１０の内部には、トレイ２０の進退方向に沿って配設されるレール部１３と、トレイ２０の進退移動を規制する図示しないロック機構とが設けられている。
【００１２】
トレイ２０は、例えば合成樹脂などにて略板状に形成され、ケース体１０の開口部１０１から進出自在に設けられている。ここで、以下において、トレイ２０がケース体１０に収容された状態をトレイ収容状態と、ケース体１０から排出された状態をトレイ排出状態と適宜称して説明する。
このトレイ２０の上面側には、ディスク状記録媒体としての図示しない光ディスクの径寸法より若干大きく形成され、光ディスクが載置される円弧状凹部２０１が設けられている。さらに、トレイ２０には、光ディスクを保持するターンテーブル３０１と、光ディスクを処理する情報処理部３０２とを有するディスク処理部３０が設けられている。
また、トレイ２０の下面側には、トレイ２０とにてディスク処理部３０を挟み込む処理部カバー３１が設けられている。
さらに、トレイ２０の前面部２０２には、トレイ収納状態のときにケース体１０の開口部１０１を閉塞するベゼル３２が取り付けられている。
【００１３】
〔要部の構成〕
次に、ディスク装置１の要部の構成について説明する。
図１および図２に示すように、下ケース１１は、導電性の材料である金属などで形成されている。この下ケース１１は、前後に長い略長方形板状の底面部１１１を有している。この底面部１１１の左側縁、後側縁、右側縁には、上方に延びる左面部１１２、後面部１１３、右面部１１４がそれぞれ設けられている。また、右面部１１４の上縁には、右側に延びるウイング部１１５が設けられている。また、ウイング部１１５の右側縁には、上方に延びるウイング側面部１１６が設けられている。そして、上ケース１２は、左面部１１２とウイング側面部１１６とを架け渡す状態で設けられる。
また、図２および図３に示すように、右面部１１４の前面側かつ上側の部分には、左側に延びる舌片状のケース側アース接触部１１７が設けられている。このケース側アース接触部１１７は、右面部１１４の一部を左側に切り起こすことで、開口部１０１の開口面（以下、ケース体開口面と称す）よりも後面部１１３側（トレイ２０の挿入方向側）に設けられている。
【００１４】
処理部カバー３１は、導電性の材料である金属などで板状に形成されている。この処理部カバー３１の前縁における左側には、上方に延びる舌片状のカバー側アース接触部３１１が設けられている。
【００１５】
トレイ２０の前面部２０２は、略長方形状の前面基部２０３と、この前面基部２０３の右側縁から略長方形状に突出する右側突出部２０４と、を備えている。
右側突出部２０４の前面基部２０３側かつ前面側の端部には、下方に延びる舌片状の変形規制部としての前側突出部２０５が設けられている。この前側突出部２０５は、ケース側アース接触部１１７の前面側かつ上側に設けられている。また、前側突出部２０５の後面側には、前側突出部２０５と略平行な後側突出部２０６が設けられている。この後側突出部２０６は、図４に示すように、トレイ収納状態のときにケース側アース接触部１１７よりも後面側に位置するように設けられている。
前面基部２０３の右側突出部２０４側には、図２に示すように、電子部品２１が露出する状態で設けられている。つまり、電子部品２１は、トレイ２０の排出方向側（以下、トレイ排出方向と称す）の端部に配置されている。この電子部品２１は、回路基板２２と、この回路基板２２に設けられたスイッチ部２３およびＬＥＤ２４と、を備えている。スイッチ部２３は、ベゼル３２の図示しないボタン部により押圧される。このスイッチ部２３が押圧されると、図示しないトレイ排出機構の駆動によりトレイ２０が排出される。ＬＥＤ２４は、ディスク装置１の駆動状態に応じて点灯する。
【００１６】
また、前面基部２０３には、導電性の材料である金属などで略板状に形成されたアース部材２６が設けられている。このアース部材２６は、電子部品２１の近傍において電子部品２１に接触しない状態で設けられている。そして、アース部材２６は、電子部品２１を略被覆する状態で（電子部品２１の近傍に）設けられた左右に長い略長方形板状の電子部品近接部としての基板カバー部２６１を有している。この基板カバー部２６１には、スイッチ部２３およびＬＥＤ２４を露出させる露出孔２６２が設けられている。
さらに、基板カバー部２６１の左側縁には、前面基部２０３に固定される左固定部２６３が設けられている。また、基板カバー部２６１の右端部の上縁および下縁には、前面基部２０３に固定されるアース固定部としての右固定部２６４がそれぞれ設けられている。
【００１７】
さらに、基板カバー部２６１の左右略中央の下縁、右固定部２６４よりも左側の下縁には、連結部２６５を介してアース側カバー接触部２６６が設けられている。このアース側カバー接触部２６６は、左側に延びる舌片状に形成され、延出先端側が処理部カバー３１のカバー側アース接触部３１１と常時接触する状態で設けられている。そして、アース側カバー接触部２６６とカバー側アース接触部３１１との接触により、図３に示すトレイ排出状態および図４に示すトレイ収納状態のときに第１の放電路が形成されている。
この第１の放電路は、ベゼル３２のボタン部に利用者の指先が近づいたときに、利用者に帯電している静電気をアース部材２６を介して処理部カバー３１に流すことで、静電気が電子部品２１に流れることを防止する。これにより、トレイ排出状態およびトレイ収納状態における電子部品２１の破損が防止される。
【００１８】
また、基板カバー部２６１の右側縁には、右側（トレイ排出方向と略直交する方向）に延びる舌片状のアース延出部２６７が設けられている。このアース延出部２６７は、前後に撓み可能な構成を有しており、撓むときの先端部２６８の移動軌跡上に前側突出部２０５と、ケース側アース接触部１１７と、後側突出部２０６とが位置するように設けられている。そして、アース延出部２６７は、延出方向に並ぶ２個の屈曲部分でそれぞれ後面側に屈曲され、図３に示すようにトレイ排出状態のときに、先端部２６８が後側突出部２０６と接触する状態で設けられている。つまり、前側突出部２０５は、アース延出部２６７よりも前面側（トレイ排出方向側）に設けられている。
【００１９】
また、アース延出部２６７は、図４に示すトレイ収納状態のときに、ケース体１０のケース側アース接触部１１７と接触して、第２の放電路を形成する。第２の放電路が形成されるとき、先端部２６８とケース側アース接触部１１７との接触により、アース延出部２６７は、トレイ排出方向側に付勢されて撓み、この撓みの反力により先端部２６８をケース側アース接触部１１７に押し付けている。このため、ディスク装置１が多少振動したとしても、先端部２６８とケース側アース接触部１１７とが離れることがなく、第２の放電路が確保される。
この第２の放電路は、ベゼル３２のボタン部に利用者の指先が近づいた場合、利用者に帯電している静電気をアース部材２６を介してケース体１０の下ケース１１に流すことで、静電気が電子部品２１に流れることを防止する。これにより、トレイ収納状態における電子部品２１の破損が防止される。
【００２０】
［ディスク装置の作用］
次に、ディスク装置１の作用として、アース延出部２６７がトレイ排出方向側に押されたときの作用について説明する。
図５は、アース延出部がトレイ排出方向側に押されたときの状態を示す下面側からの部分断面図である。
例えばベゼル３２を取り付けるためにディスク装置１を保持した際に指先がアース延出部２６７に接触して、図５に示すように、アース延出部２６７がトレイ排出方向側に変形した場合、先端部２６８は、移動軌跡上にあるトレイ２０の前側突出部２０５と接触する。この先端部２６８と前側突出部２０５との接触により、アース延出部２６７の過剰な変形が規制される。
【００２１】
［ディスク装置の効果］
上述したように、上記実施形態では、以下のような効果を奏することができる。
【００２２】
（１）ディスク装置１のトレイ２０に、電子部品２１を略被覆する基板カバー部２６１およびこの基板カバー部２６１から右側に延びるアース延出部２６７を有するアース部材２６と、アース延出部２６７よりもトレイ排出方向側に配置された前側突出部２０５と、を設けている。さらに、ケース体１０に、トレイ収納状態のときにアース延出部２６７に接触するケース側アース接触部１１７を設けている。
このため、トレイ収納状態のときにアース延出部２６７とケース側アース接触部１１７とを接触させて、利用者に帯電している静電気をアース部材２６を介してケース体１０に流すことで、静電気が電子部品２１に流れて電子部品２１が破損することを防止できる。さらに、指先がアース延出部２６７に接触してトレイ排出方向側に変形した場合でも、アース延出部２６７と前側突出部２０５とを接触させることでアース延出部２６７の過剰な変形を規制することができる。したがって、アース延出部２６７の破損を心配することなく、ディスク装置１を容易に取り扱うことができる。
【００２３】
（２）ケース側アース接触部１１７をケース体開口面よりも後面部１１３側に設けている。
ここで、ケース側アース接触部１１７をケース体開口面と同一面上、あるいは、ケース体開口面よりも外側に設けた場合、トレイ２０がケース体１０に収納されてアース延出部２６７とケース側アース接触部１１７とが接触したときに、先端部２６８がケース体開口面よりも外側に位置することになる。このため、前側突出部２０５をこの接触部分よりもさらに外側に設ける必要があり、ディスク装置１の前後方向のサイズが大きくなってしまう。
これに対して、本実施形態では、ケース側アース接触部１１７をケース体開口面よりも後面部１１３側に設けているため、前側突出部２０５をケース体開口面と略同一面上に設けることができ、ディスク装置１の前後方向のサイズの増加を抑えることができる。
【００２４】
（３）ケース側アース接触部１１７を右面部１１４の一部を切り起こすことで形成している。
このため、ケース側アース接触部１１７を下ケース１１に取り付けるなどの作業をする必要がなく、ディスク装置１の製造性を向上できる。さらには、ディスク装置１の部品点数を削減できる。
【００２５】
（４）アース部材２６をトレイ２０の前面基部２０３に固定するための構成として、基板カバー部２６１の右端部側かつアース延出部２６７の基端近傍に右固定部２６４を設けている。さらに、右固定部２６４の左側、つまり右固定部２６４に対してアース延出部２６７と反対側に、カバー側アース接触部３１１を介して処理部カバー３１に接触するアース側カバー接触部２６６を設けている。
ここで、アース側カバー接触部２６６を右固定部２６４に対してアース延出部２６７と同じ側に設けた場合、アース延出部２６７がトレイ排出方向側に変形したときにアース側カバー接触部２６６が処理部カバー３１から離れてしまい第１の放電路を確保できなくなるおそれがある。このため、第１の放電路を確実に確保するために、アース側カバー接触部２６６と処理部カバー３１とを固定する処理をする必要があり、製造工程が増えてしまうおそれがある。
これに対して、本実施形態では、アース側カバー接触部２６６を右固定部２６４に対してアース延出部２６７と反対側に設けているため、アース延出部２６７がトレイ排出方向側に変形したとしても、アース側カバー接触部２６６が処理部カバー３１から離れることがない。したがって、アース側カバー接触部２６６と処理部カバー３１とを固定することなく第１の放電路を確保でき、製造工程が増えることを防止できる。
【００２６】
［実施形態の変形］
なお、本発明は、上述した実施形態に限定されるものではなく、本発明の目的を達成できる範囲で以下に示される変形をも含むものである。
【００２７】
すなわち、ケース側アース接触部１１７をケース体開口面と同一面上あるいはケース体開口面よりも外側に設けるとともに、前側突出部２０５を上記実施形態の位置よりも外側に設けてもよい。ここで、ケース側アース接触部１１７をケース体開口面と略同一面上に設ける構成としては、右面部１１４を切り起こさずに、右面部１１４の端部をケース側アース接触部１１７として機能させる構成が例示できる。
また、下ケース１１の底面部１１１の一部を切り起こすことでケース側アース接触部１１７を設けてもよい。
さらに、ケース側アース接触部１１７と下ケース１１とを別部品として、螺合、係合、嵌合、圧着、接着などで固定する構成としてもよい。このような別部品とする構成において、ケース側アース接触部１１７を導電性を有する材料で形成し、下ケース１１を導電性を有さない材料で形成してもよい。
そして、アース側カバー接触部２６６を右固定部２６４に対してアース延出部２６７と同じ側に設けてもよい。
【００２８】
その他、本発明の実施の際の具体的な構造および手順は、本発明の目的を達成できる範囲で他の構造などに適宜変更できる。
【００２９】
〔実施形態の効果〕
上述したように、上記実施形態では、ディスク装置１のトレイ２０に、電子部品２１を略被覆する基板カバー部２６１およびアース延出部２６７を有するアース部材２６と、アース延出部２６７よりもトレイ排出方向側に配置された前側突出部２０５と、を設けている。さらに、ケース体１０に、トレイ収納状態のときにアース延出部２６７に接触するケース側アース接触部１１７を設けている。
このため、トレイ収納状態のときにアース延出部２６７とケース側アース接触部１１７とを接触させて、利用者に帯電している静電気をアース部材２６を介してケース体１０に流すことで、静電気が電子部品２１に流れて電子部品２１が破損することを防止できる。さらに、アース延出部２６７がトレイ排出方向側に変形した場合でも、アース延出部２６７と前側突出部２０５とを接触させることでアース延出部２６７の過剰な変形を規制することができる。したがって、アース延出部２６７の破損を心配することなく、ディスク装置１を容易に取り扱うことができる。
【産業上の利用可能性】
【００３０】
本発明は、ディスク装置として利用できる。
【符号の説明】
【００３１】
１…ディスク装置
１０…ケース体
２０…トレイ
２１…電子部品
２６…アース部材
３０…ディスク処理部
３１…処理部カバー
１１７…ケース側アース接触部
２０５…変形規制部としての前側突出部
２６１…電子部品近接部としての基板カバー部
２６４…アース固定部としての右固定部
２６６…アース側カバー接触部
２６７…アース延出部
【国際調査報告】
2009130768.tif 000008
2009130768.tif 000009
2009130768.tif 000010
2009130768.tif 000011